(57)【特許請求の範囲】
【請求項１】
両面送信可能な通信端末装置において、原稿の画像を読み取る読取手段と、該読取手段で読み取った画像を格納する画像メモリと、相手先との通信を行う通信手段と、前記通信手段を介して通信手順の中で相手先において片面記録後の用紙を保持させる中間用紙保持手段からの用紙の取り出し方式を取得して該用紙の取り出し方式に応じたページ順で表裏の画像の送信順を決定し該送信順に従って前記画像メモリ中の画像を前記通信手段を介して両面送信する制御手段を有することを特徴とする通信端末装置。
【請求項２】
両面送信可能な通信端末装置において、原稿の画像を読み取る読取手段と、該読取手段で読み取った画像を格納する画像メモリと、相手先との通信を行う通信手段と、前記通信手段を介して通信手順の中で相手先が連続モードによる両面受信が可能か否か及び前記相手先が連続して用紙の第１面に記録可能な連続枚数を取得し連続モードによる両面受信が可能な場合に前記連続枚数に基づいて該連続枚数分の第１面の画像を連続して送信した後に対応する第２面の画像を連続して送信する送信動作を繰り返して両面送信を行う制御手段を有することを特徴とする通信端末装置。
【請求項３】
前記制御手段は、通信手順の中でさらに相手先において片面記録後の用紙を保持させる中間用紙保持手段からの用紙の取り出し方式を取得して該用紙の取り出し方式に応じて送信開始ページ及び送信開始面を選択することを特徴とする請求項２に記載の通信端末装置。
【請求項４】
前記制御手段は、通信手順の中でさらに相手先における用紙の排紙方式を取得して該排紙方式に応じて送信開始ページ及び送信開始面を選択することを特徴とする請求項１ないし請求項３のいずれか１項に記載の通信端末装置。
【発明の詳細な説明】
【０００１】
【発明の属する技術分野】
本発明は、両面送信機能を有する通信端末装置に関するものである。
【０００２】
【従来の技術】
両面送信機能を備えた通信端末装置では、同じく両面受信機能を備えた受信側の通信端末装置に対して送信側から両面送信を指定して所定の通信手順で画像を送信することによって、受信側で記録紙の両面に画像を記録させることができる。このような両面通信においては、受信側の通信端末装置の両面記録方式として、用紙１枚毎に表面及び裏面を記録してゆく方式があり、この両面記録方式に対応した通信方式として交互モードが規定されている。また、用紙の片面に連続して記録して両面トレイに蓄積しておき、その後、両面トレイから用紙を給送して用紙のもう一方の面に記録してゆく両面記録方式もある。この方式に対応した通信方式として連続モードが規定されている。
【０００３】
しかし、受信側の通信端末装置における両面記録機構によっては、送信された順に両面記録を行っても、排出された用紙がページ順にならないことがあるという問題がある。図２は、両面記録装置の一例の説明図である。図中、３１は用紙トレイ、３２は中間トレイ、３３は画像形成部、３４はフェイスアップトレイ、３５はフェイスダウントレイ、３６は反転搬送路である。この例では、電子写真方式の両面記録装置の一例を模式的に示している。両面記録を行う場合には、図２（Ａ）に示すように、まず用紙トレイ３１に装填されている用紙を繰り出し、画像形成部３３で片面（表面）の画像を記録する。片面に画像が記録された用紙は、中間トレイ３２に一旦格納される。中間トレイ３２に格納された用紙は、図２（Ｂ）に示すように逆方向に搬送され、再び画像形成部３３で画像が記録される。このとき、逆方向への搬送によって用紙は反転されており、裏面に画像が記録されることになる。
【０００４】
両面に画像が記録された用紙は排紙されることになるが、例えばフェイスアップトレイ３４に排紙した場合には下に表面の画像が、上に裏面の画像がそれぞれ記録されており、そのまま記録済の用紙を堆積しておけばページ順になる。しかし、フェイスダウントレイ３５に排紙した場合には下に裏面の画像が、上に表面の画像がそれぞれ記録された状態で用紙が排出される。そのため、このまま記録済の用紙を堆積させるとページ順が揃わない。例えば２，１，４，３，…といったページ順となってしまう。この場合、裏面となる画像から先に記録し、その後、表面の画像を記録して排紙すればよい。
【０００５】
また、中間トレイ３２に複数枚の用紙を保持できる場合には、図２（Ｃ）に示すように保持された用紙の上から給紙してゆく場合と、図２（Ｄ）に示すように保持された用紙の下から給紙してゆく場合とで記録すべきページも異なってしまう。例えば表面の画像として１，３ページをこの順で記録した２枚の用紙が中間トレイ３２に保持されているとき、図２（Ｃ）に示すように上から取り出して給紙すると３ページの裏面の画像、すなわち４ページを先に記録し、その後、１ページの裏面の画像、すなわち２ページを記録することになる。一方、図２（Ｄ）に示すように下から取り出して給紙する場合には、先に１ページの画像が記録された用紙が取り出されるので、裏面画像として２ページの画像を記録し、その後、３ページの裏面に４ページの画像を記録すればよい。
【０００６】
さらに、中間トレイ３２に保持できる用紙の枚数に制限がある場合がある。例えば上述の図２（Ａ）〜（Ｄ）に示すように実際に中間トレイ３２が存在し、その中間トレイ３２に保持可能な用紙の枚数に制限がある場合もあるし、例えば図２（Ｅ），（Ｆ）に示すように機構的に両面記録可能な枚数が制限されている場合がある。図２（Ｅ），（Ｆ）に示す両面記録機構では、まず用紙トレイ３１に装填されている１枚目の用紙を繰り出し、画像形成部３３で片面（表面）の画像を記録してフェイスアップトレイ３４またはフェイスダウントレイ３５に排紙し、ここで用紙を逆搬送して反転搬送路３６へ送る。それとともに用紙トレイ３１から２枚目の用紙をくり出し、２枚目の用紙の片面（表面）の画像を記録してフェイスアップトレイ３４またはフェイスダウントレイ３５に排紙し、ここで用紙を逆搬送して反転搬送路３６へ送る。２枚目の用紙の片面の画像を記録し終えるとすぐに、反転搬送路３６に送られてきた１枚目の用紙の裏面に画像が記録され、フェイスアップトレイ３４またはフェイスダウントレイ３５に排紙される。その後、反転搬送路３６に送られてきた２枚目の用紙の裏面に画像が記録され、フェイスアップトレイ３４またはフェイスダウントレイ３５に排紙される。このような構成では、中間トレイ３２のかわりに反転搬送路３６を用いて片面を記録した用紙を保持している。以下の説明では、このような場合も含めて中間トレイと呼ぶ。
【０００７】
この図２（Ｅ），（Ｆ）に示す例の場合、表面を記録した用紙を保持可能な枚数は２枚である。もちろん、反転搬送路３６が長い場合には３枚以上保持可能な場合もあるが、いずれにしても数枚程度に限られてしまう。
【０００８】
このように中間トレイ３２などの中間的に用紙を保持する部分において保持できる用紙の枚数に制限がある場合、その制限枚数まで片面の記録を行った後は、反対面の記録を開始しなければならない。しかし連続モードで受信している場合には制限枚数を超えてもそのまま一方の面の画像が連続して送られてくるため、記録できずにエラーとなるか、あるいは記録を停止して画像を蓄積するしかなかった。
【０００９】
上述のように、受信側の通信端末装置における両面記録のための用紙の排紙方式や中間トレイからの用紙の取り出し方式などによってトレイに堆積した用紙のページ順が異なる。しかし利用者からすれば、トレイに排出された用紙はページ順に揃っていて欲しいものである。また、中間トレイなどの中間的に用紙を保持する部分に保持できる用紙の枚数が制限される場合もある。これらに対処するため、従来は受信側の通信端末装置において記録に必要なページを画像メモリなどに蓄積しておいてから、受信側の通信端末装置における両面記録機構に応じたページ順で記録を行っていた。受信した画像を画像メモリに蓄積することによって、どのような両面記録機構が搭載されていても任意のページ順で記録することができ、また、どのようなページ順で送信されてきても対応することが可能である。
【００１０】
しかし、受信したすべての画像を画像メモリに蓄積することは、膨大なメモリ量を必要とする。また、すべての画像を受信した後でなければ記録を開始することができず、受信開始から記録開始まで、利用者は長時間待たされるといった問題があった。
【００１１】
【発明が解決しようとする課題】
本発明は、上述した事情に鑑みてなされたもので、受信側の通信端末装置（相手先）で受信した画像を順に両面記録して、用紙を排出するだけで、ページ順の揃った用紙の束を取得可能なように、各ページの画像を両面送信する通信端末装置を提供することを目的とするものである。
【００１２】
【課題を解決するための手段】
本発明は、両面送信可能な通信端末装置において、原稿の画像を読み取る読取手段と、該読取手段で読み取った画像を格納する画像メモリと、相手先との通信を行う通信手段と、前記通信手段を介して通信手順の中で相手先において片面記録後の用紙を保持させる中間用紙保持手段からの用紙の取り出し方式を取得して該用紙の取り出し方式に応じたページ順で表裏の画像の送信順を決定し該送信順に従って前記画像メモリ中の画像を前記通信手段を介して両面送信する制御手段を有することを特徴とするものである。
【００１３】
これによって、中間用紙保持手段に保持された用紙の取り出しが上からの場合と下からの場合とで裏面の画像のページ順序を切り替えることができる。従って相手先では、両面記録機構に従って両面記録するだけで、ページ順の揃った用紙の束を取得することが可能になる。また、受信した画像を画像メモリに蓄積しなくても、受信した時点で記録を行ってゆくことができる。さらに、通信手順の中で相手先において片面記録後の用紙を保持させる中間用紙保持手段からの用紙の取り出し方式を取得するので、相手先の記録機構を知らなくても、相手先の機能に合わせて両面送信を行うことができる。
【００１４】
また本発明は、両面送信可能な通信端末装置において、原稿の画像を読み取る読取手段と、該読取手段で読み取った画像を格納する画像メモリと、相手先との通信を行う通信手段と、前記通信手段を介して通信手順の中で相手先が連続モードによる両面受信が可能か否か及び前記相手先が連続して用紙の第１面に記録可能な連続枚数を取得し連続モードによる両面受信が可能な場合に前記連続枚数に基づいて該連続枚数分の第１面の画像を連続して送信した後に対応する第２面の画像を連続して送信する送信動作を繰り返して両面送信を行う制御手段を有することを特徴とするものである。これによって、第１面の画像が連続枚数を超える場合でも、送信側でページ順序を変更して送信するので、相手先では連続枚数毎に両面記録を行ってゆくだけで、ページ順の揃った用紙の束を取得することが可能になる。この時、連続枚数を超える画像を画像メモリに格納しておく必要がなく、受信した時点で記録を行ってゆくことができる。
【００１５】
制御手段は、通信手順の中でさらに相手先における用紙の排紙方式を取得して該排紙方式に応じて送信開始ページ及び送信開始面を選択するように構成してもよい。これによって、受信側の排紙トレイがフェイスアップトレイであるかフェイスダウントレイであるかに応じてページ順を決定して送信するので、相手先では受信した順に両面記録を行って用紙を排出してゆけばよく、受信した画像を画像メモリに蓄積しなくても画像の記録を行うことができるとともに、ページ順の揃った用紙の束を取得することができる。
【００１６】
上述の相手先における用紙の排紙方式、中間用紙保持手段からの用紙の取り出し方式、連続して記録可能な連続枚数に従ったページ順の決定は、適宜組み合わせて利用することが可能である。例えば相手先において連続して記録可能な連続枚数を考慮した上で、用紙の排紙方式、中間用紙保持手段からの用紙の取り出し方式を考慮して送信するページ順を決定し、送信することができる。
【００１７】
【発明の実施の形態】
図１は、本発明の通信端末装置の実施の一形態を示すブロック図である。図中、１１は主制御部、１２は表示部、１３は操作部、１４は読取部、１５は記録部、１６は通信部、１７はＮＣＵ、１８はモデム、１９は画像メモリ、２０はＲＡＭ、２１はＲＯＭ、２２はバスである。
【００１８】
主制御部１１は、通信端末装置全体を制御し、画像複写機能や画像送受信機能などを実現する。両面送信機能時には、読取部１４で読み取った画像（あるいは外部から受け取った画像）を画像メモリ１９に蓄積した後、その画像を受信する相手先において受信した画像を記録する際の記録機構に応じたページ順で画像を両面送信する。例えば相手先でフェイスアップトレイに排紙するのか、あるいはフェイスダウントレイに排紙するのかに応じてページ順を決定し、決定したページ順で送信する。また連続モードで両面送信するときには、中間トレイなどの中間用紙保持手段（以下、中間トレイと呼ぶ）からの用紙の取り出し方式に応じて、例えば上述の図２（Ｃ）に示すように保持された用紙の上から給紙してゆく場合、あるいは図２（Ｄ）に示すように保持された用紙の下から給紙してゆく場合に応じて送信するページ順を決定し、決定したページ順で送信する。このとき、中間トレイ（図２（Ｅ），（Ｆ）に示す機構などを含む）に保持可能な用紙の枚数（連続枚数）が制限されている場合、その範囲内（連続枚数×２ページ）で連続モードによるページ順を決定して送信し、連続枚数×２ページ毎の送信を繰り返す。相手先の記録機構については、利用者による操作部１３から設定に従うほか、通信手順の中で受け取ってもよい。
【００１９】
表示部１２は、利用者に対するメッセージや、装置の状態を示すメッセージ、操作ガイダンスなど、種々の情報を表示することができる。操作部１３は、利用者が各種の設定や指示を行うことができる。例えば両面送信時に、相手先における用紙の排紙方式、中間トレイからの用紙の取り出し方式、連続して記録可能な連続枚数の少なくとも１つを設定してもよい。もちろん、すべてを通信手順から受け取るように設定してもよく、これらを切替可能に構成してもよい。
【００２０】
読取部１４は、主制御部１１による制御に従い、送信あるいは複写すべき原稿上の画像を読み取る。読取方式としては、種々の方法を採用可能である。原稿の両面の画像を読取可能であると、その表裏を保って両面送信することが可能である。なお、送信する画像を外部より受け取るのみの場合には、この読取部１４を設けずに構成することも可能である。
【００２１】
記録部１５は、主制御部１１の制御に従って、通信部１６で受信した画像、あるいは読取部１４で読み取った画像、さらには各種の設定情報や管理情報、利用者に対するメッセージなどを記録紙上に記録する。記録方法としては、例えば電子写真方式や、感熱方式、熱転写方式、インクジェット方式など、種々の方式を採用することができる。もちろん、このような記録方式に限られるものではない。例えば両面送信する場合には、この記録部１５における用紙の排紙方式、中間トレイからの用紙の取り出し方式、連続して記録可能な連続枚数等を送信側の相手先に通知することになる。なお、両面受信時には両面記録できることが望ましいが、両面受信可能な場合でも両面記録できる必要はないので、片面記録のみしかできなくてもよい。また、受信した画像を外部に転送してしまう場合や送信機能のみの構成では、この記録部１５を設けなくてもよい。
【００２２】
通信部１６は、例えば公衆回線や専用線などを介して相手先の機器との通信を行う。ＮＣＵ１７は、回線などの制御を行う。また、モデム１８は、送受信する画像データの変復調を行う。
【００２３】
画像メモリ１９は、送信する画像や受信した画像、読取部１４で読み取った画像、その他処理中の画像等を記憶する。画像を記憶する場合、そのまま記憶してもよいし、圧縮された状態で記憶してもよい。なお、両面送信する場合には、送信する画像は一旦この画像メモリ１９に格納され、送信するページ順に読み出される。ＲＡＭ２０は、主制御部１１や他の各部の処理においてデータの保存が必要なときに用いられる。ＲＯＭ２１は、主制御部１１の動作を規定したプログラムや、固定的なデータなどが格納されている。
【００２４】
バス２２は、主制御部１１、表示部１２、操作部１３、読取部１４、記録部１５、通信部１６（ＮＣＵ１７、モデム１８）、画像メモリ１９、ＲＡＭ２０、ＲＯＭ２１等を相互に接続しており、これらの間のデータ転送を可能にしている。これらのほか、外部記憶装置など、各種の機器がバス２２に接続されていてもよい。また、例えばバス２２にインタフェースを接続し、そのインタフェースを介して外部のコンピュータやＬＡＮ等と接続されていてもよく、例えば送信する画像を外部から受け取り、また受信した画像を外部に転送可能なように構成してもよい。
【００２５】
図３、図４は、本発明の通信端末装置の実施の一形態における両面送信時の動作の一例を示すフローチャートである。ここでは、相手先の記録部における用紙の排紙方式、中間トレイからの用紙の取り出し方式、連続して記録可能な連続枚数等を通信手順の中で取得するものとして説明してゆく。
【００２６】
主制御部１１は、例えば操作部１３から相手先の電話番号などの入力を受け、さらに送信開始の指示を受けると、読取部１４に対して原稿上の画像の読取を指示する。読取部１４は、セットされている原稿上の画像を読み取る。主制御部１１は、読取部１４で読み取った画像を、一旦、画像メモリ１９に格納する。あるいは、外部から送信する画像を受け取って画像メモリ１９に格納する。送信すべき画像が画像メモリ１９に格納し終えたら、相手先との通信を開始する。
【００２７】
Ｓ４１において、主制御部１１は相手先の電話番号へのダイヤルを通信部１６に指示し、回線を接続して通信手順を開始する。通信手順が開始されると、相手先から、相手先の受信能力を示すＤＩＳ信号が送られてくる。このとき、独自手順が可能であれば、独自手順における能力を示す信号であるＮＳＦ信号が送られてくる。Ｓ４２において、相手先から送られてくるＤＩＳ信号、及び、送られてきた場合にはＮＳＦ信号を受信する。
【００２８】
Ｓ４３において、このＮＳＦ信号が送られてきたか否か、またＮＳＦ信号が送られてきた場合には記録装置の用紙の排紙方式、中間トレイからの用紙の取り出し方式、連続して記録可能な連続枚数等の情報を含むか否かを判定し、独自手順による通信が可能か否かを判定する。独自手順による通信ができない場合には、Ｓ４４において通常の両面通信手順に従い、一般的なページ順で画像メモリ１９内の画像を送信する。
【００２９】
独自手順による通信が可能である場合には、相手先の記録機構に応じたページ順で画像を両面送信する。まずＳ４５において、相手先から受信したＤＩＳ信号中の両面受信に関する能力、すなわち連続モード及び交互モードが可能か否かを調べる。少なくとも連続モードが可能であれば連続モードにより両面送信することとし、Ｓ５０以降の処理を行う。また、相手先が交互モードでしか受信できない場合には、交互モードにより両面送信することとし、Ｓ４６以降の処理を行う。
【００３０】
交互モードにより両面送信する場合には、Ｓ４６において、ＮＳＦ信号から相手先の記録機構がフェイスアップトレイに排紙する方式か、あるいはフェイスダウントレイに排紙する方式かを判定する。フェイスアップトレイに排紙する方式の場合には、Ｓ４７において、表面、裏面、表面、裏面、…の順で昇順で送信する旨をＮＳＳ信号で、また交互モードで送信する旨をＤＣＳ信号で指定し、ＴＣＦ信号などによるトレーニングに移る。また、フェイスダウントレイに排紙する方式の場合には、Ｓ４８において、裏面、表面、裏面、表面、…の順で昇順で送信する旨をＮＳＳ信号で、また交互モードで送信する旨をＤＣＳ信号で指定し、ＴＣＦ信号などによるトレーニングに移る。その後、Ｓ４９においてＮＳＳ信号で指定したページ順で、画像メモリ１９に格納されている画像を順次両面送信する。
【００３１】
一方、連続モードにより両面送信する場合には、Ｓ５０において、ＮＳＦ信号から相手先の記録機構が中間トレイの上から用紙を取り出す方式であるか、あるいは中間トレイの下から用紙を取り出す方式であるかを判定する。中間トレイの上から用紙を取り出す方式である場合には、Ｓ５１においてさらにフェイスアップトレイに排紙する方式か、あるいはフェイスダウントレイに排紙する方式かを判定する。フェイスアップトレイに排紙する方式の場合には、Ｓ５２において、奇数ページを降順ですべて送信した後に偶数ページを昇順で送信する旨をＮＳＳ信号で、また連続モードで送信する旨をＤＣＳ信号で指定し、ＴＣＦ信号などによるトレーニングに移る。また、フェイスダウントレイに排紙する方式の場合には、Ｓ５３において、先に偶数ページを降順ですべて送信した後、奇数ページを昇順で送信する旨をＮＳＳ信号で、また連続モードで送信する旨をＤＣＳ信号で指定し、ＴＣＦ信号などによるトレーニングに移る。その後、Ｓ４９においてＮＳＳ信号で指定したページ順で、画像メモリ１９に格納されている画像を順次両面送信する。
【００３２】
中間トレイの下から用紙を取り出す方式である場合には、Ｓ５４においてさらにフェイスアップトレイに排紙する方式か、あるいはフェイスダウントレイに排紙する方式かを判定する。フェイスアップトレイに排紙する方式の場合には、Ｓ５５において、奇数ページを昇順ですべて送信した後に偶数ページを昇順で送信する旨をＮＳＳ信号で、また連続モードで送信する旨をＤＣＳ信号で指定し、ＴＣＦ信号などによるトレーニングに移る。また、フェイスダウントレイに排紙する方式の場合には、Ｓ５６において、先に偶数ページを昇順ですべて送信した後、奇数ページを昇順で送信する旨をＮＳＳ信号で、また連続モードで送信する旨をＤＣＳ信号で指定し、ＴＣＦ信号などによるトレーニングに移る。その後、Ｓ４９においてＮＳＳ信号で指定したページ順で、画像メモリ１９に格納されている画像を順次両面送信する。
【００３３】
なお、Ｓ５２，Ｓ５３，Ｓ５５，Ｓ５６において、ＮＳＦ信号から相手先の記録機構において連続して記録可能な連続枚数Ｍが指定されている場合には、上述のようなページ順による両面送信を２Ｍページ（用紙Ｍ枚分）毎に繰り返して行うとよい。
【００３４】
また、Ｓ４７，Ｓ４８，Ｓ５２，Ｓ５３，Ｓ５５，Ｓ５６においては用紙トレイに第１ページが下となってページ順に記録、排紙されるように両面送信する場合を示した。このほか、第１ページが上、最終ページが下となってページ順に記録、排紙されるように、両面送信することもできる。この場合にはＳ４７では裏面、表面、裏面、表面、…の順で降順に送信するように指定し、Ｓ４８では表面、裏面、表面、裏面、…の順で降順に送信するように指定すればよい。またＳ５２では偶数ページを昇順ですべて送信した後に奇数ページを降順で送信するように指定し、Ｓ５３では奇数ページを昇順ですべて送信した後に偶数ページを降順で送信するように指定すればよい。さらにＳ５５では偶数ページを降順ですべて送信した後に奇数ページを降順で送信するように指定し、Ｓ５６では奇数ページを降順ですべて送信した後に偶数ページを降順で送信するように指定すればよい。
【００３５】
さらに、上述の動作の一例では、相手先の記録装置における用紙の排紙方式や、中間トレイからの用紙の取り出し方式、連続して記録可能な連続枚数などの情報の受け取り、および、送信するページ順の指示などを、ＮＳＦ及びＮＳＳを用いた独自手順で行う例を示した。しかしこれに限らず、例えばＤＩＳやＤＣＳなどで定義されていれば、標準手順で行うことができることは言うまでもない。
【００３６】
以下、上述の動作の一例について、実際に送信するページ順を説明してゆく。なお、以下の説明では、２Ｎページの画像を両面送信するものとして説明する。この場合、奇数ページが表面、偶数ページが裏面とする。
【００３７】
図５は、交互モードで送信する際にフェイスアップトレイに排紙される場合の送信ページ順の説明図である。相手先でフェイスアップトレイに排紙する場合、図３のＳ４７で説明したように表面、裏面、表面、裏面、…の順で昇順で送信する。すなわち、図５（Ａ）に示すように、１ページ目、２ページ目、３ページ目、４ページ目、…、（２Ｎ−１）ページ目、２Ｎページ目の順で送信すればよい。相手先では、１ページ目を記録した後に用紙を反転して２ページ目を記録し、フェイスアップトレイに排紙する。続いて３ページ目を記録した後に用紙を反転して４ページ目を記録し、フェイスアップトレイに排紙する。これを繰り返すことによって、フェイスアップトレイには、図５（Ｃ）に示すように、最も下の用紙の下の面が１ページ目、最も上の用紙の上の面が２Ｎページ目となるように、Ｎ枚の用紙が排出される。このように、相手先では受信した順に両面記録を行ってゆけば、図５（Ｃ）に示すようにページ順が揃った用紙の束を取得することができる。
【００３８】
また、図５（Ｄ）に示すように、フェイスアップトレイの最も上の用紙の上の面が１ページ目、最も下の用紙の下の面が２Ｎページ目となるように送信することもできる。この場合には図５（Ｂ）に示すように、２Ｎページ目、（２Ｎ−１）ページ目、…、４ページ目、３ページ目、２ページ目、１ページ目の順で送信すればよい。
【００３９】
図６は、交互モードで送信する際にフェイスダウントレイに排紙される場合の送信ページ順の説明図である。相手先でフェイスダウントレイに排紙する場合、図３のＳ４８で説明したように裏面、表面、裏面、表面、…の順で昇順で送信する。すなわち、図６（Ａ）に示すように、２ページ目、１ページ目、４ページ目、３ページ目、…、２Ｎページ目、（２Ｎ−１）ページ目の順で送信すればよい。相手先では、２ページ目を記録した後に用紙を反転して１ページ目を記録し、フェイスダウントレイに排紙する。これによって、後で記録した１ページ目が下として排紙される。続いて４ページ目を記録した後に用紙を反転して３ページ目を記録し、フェイスダウントレイに排紙する。これを繰り返すことによって、フェイスダウントレイには、図６（Ｃ）に示すように、最も下の用紙の下の面が１ページ目、最も上の用紙の上の面が２Ｎページ目となるように、Ｎ枚の用紙が排出される。このように、相手先では受信した順に両面記録を行ってゆけば、図６（Ｃ）に示すようにページ順が揃った用紙の束を取得することができる。
【００４０】
また、図６（Ｄ）に示すように、フェイスダウントレイの最も上の用紙の上の面が１ページ目、最も下の用紙の下の面が２Ｎページ目となるように送信することもできる。この場合には図６（Ｂ）に示すように、（２Ｎ−１）ページ目、２Ｎページ目、…、３ページ目、４ページ目、１ページ目、２ページ目の順で送信すればよい。
【００４１】
図７は、連続モードで送信する際に中間トレイの用紙を上から取り出す方式でフェイスアップトレイに排紙される場合の送信ページ順の説明図である。相手先でフェイスアップトレイに排紙する場合、図４のＳ５２で説明したように、奇数ページを降順ですべて送信した後に偶数ページを昇順で送信する。すなわち、図７（Ａ）に示すように、（２Ｎ−１）ページ目、…、３ページ目、１ページ目まで奇数ページを送信し、その後、２ページ目、４ページ目、…、２Ｎページ目の順で偶数ページを送信すればよい。相手先では、（２Ｎ−１）ページ目、…、３ページ目、１ページ目までを用紙の片面に連続して記録し、図７（Ｃ）に示すように中間トレイに蓄積された用紙には、最も下の用紙に（２Ｎ−１）ページ目、最も上の用紙に１ページ目が記録されている。中間トレイの用紙を上から順に取り出すことによって、１ページ目が記録された用紙、３ページ目が記録された用紙、…、（２Ｎ−１）ページが記録された用紙の順に取り出され、他方の面に順次２ページ目、４ページ目、…、２Ｎページ目が記録されてゆく。フェイスアップトレイでは後で記録された面が上となる。従って、図７（Ｃ）に示すように最も下の用紙の下の面が１ページ目、最も上の用紙の上の面が２Ｎページ目となるように、Ｎ枚の用紙がフェイスアップトレイに排出される。このように、相手先では受信した順に両面記録を行ってゆけば、図７（Ｃ）に示すようにページ順が揃った用紙の束を取得することができる。
【００４２】
また、図７（Ｄ）に示すように、フェイスアップトレイの最も上の用紙の上の面が１ページ目、最も下の用紙の下の面が２Ｎページ目となるように送信することもできる。この場合には図７（Ｂ）に示すように、２ページ目、４ページ目、…、２Ｎページ目まで偶数ページを送信し、その後、（２Ｎ−１）ページ目、…、３ページ目、１ページ目の順で奇数ページを送信すればよい。
【００４３】
図８は、連続モードで送信する際に中間トレイの用紙を上から取り出す方式でフェイスダウントレイに排紙される場合の送信ページ順の説明図である。相手先でフェイスダウントレイに排紙する場合、図４のＳ５３で説明したように、先に偶数ページを降順ですべて送信した後、奇数ページを昇順で送信する。すなわち、図８（Ａ）に示すように、２Ｎページ目、…、４ページ目、２ページ目まで偶数ページを送信し、その後、１ページ目、３ページ目、…、（２Ｎ−１）ページ目の順で奇数ページを送信すればよい。相手先では、２Ｎページ目、…、４ページ目、２ページ目までを用紙の片面に連続して記録し、図８（Ｃ）に示すように中間トレイに蓄積された用紙には、最も下の用紙に２Ｎページ目、最も上の用紙に２ページ目が記録されている。中間トレイの用紙を上から順に取り出すことによって、２ページ目が記録された用紙、４ページ目が記録された用紙、…、２Ｎページが記録された用紙の順に取り出され、他方の面に順次１ページ目、３ページ目、…、（２Ｎ−１）ページ目が記録されてゆく。フェイスダウントレイでは先に記録された面が上となる。従って、図８（Ｃ）に示すように最も下の用紙の下の面が１ページ目、最も上の用紙の上の面が２Ｎページ目となるように、Ｎ枚の用紙がフェイスダウントレイに排出される。このように、相手先では受信した順に両面記録を行ってゆけば、図８（Ｃ）に示すようにページ順が揃った用紙の束を取得することができる。
【００４４】
また、図８（Ｄ）に示すように、フェイスダウントレイの最も上の用紙の上の面が１ページ目、最も下の用紙の下の面が２Ｎページ目となるように送信することもできる。この場合には図８（Ｂ）に示すように、１ページ目、３ページ目、…、（２Ｎ−１）ページ目まで奇数ページを送信し、その後、２Ｎページ目、…、４ページ目、２ページ目の順で偶数ページを送信すればよい。
【００４５】
図９は、連続モードで送信する際に中間トレイの用紙を下から取り出す方式でフェイスアップトレイに排紙される場合の送信ページ順の説明図である。相手先でフェイスアップトレイに排紙する場合、図４のＳ５５で説明したように、奇数ページを昇順ですべて送信した後に偶数ページを昇順で送信する。すなわち、図９（Ａ）に示すように、１ページ目、３ページ目、…、（２Ｎ−１）ページ目まで奇数ページを送信し、その後、２ページ目、４ページ目、…、２Ｎページ目の順で偶数ページを送信すればよい。相手先では、１ページ目、３ページ目、…、（２Ｎ−１）ページ目までを用紙の片面に連続して記録し、図９（Ｃ）に示すように中間トレイに蓄積された用紙には、最も下の用紙に１ページ目、最も上の用紙に（２Ｎ−１）ページ目が記録されている。中間トレイの用紙を下から順に取り出すことによって、１ページ目が記録された用紙、３ページ目が記録された用紙、…、（２Ｎ−１）ページが記録された用紙の順に取り出され、他方の面に順次２ページ目、４ページ目、…、２Ｎページ目が記録されてゆく。フェイスアップトレイでは後で記録された面が上となる。従って、図９（Ｃ）に示すように最も下の用紙の下の面が１ページ目、最も上の用紙の上の面が２Ｎページ目となるように、Ｎ枚の用紙がフェイスアップトレイに排出される。このように、相手先では受信した順に両面記録を行ってゆけば、図９（Ｃ）に示すようにページ順が揃った用紙の束を取得することができる。
【００４６】
また、図９（Ｄ）に示すように、フェイスアップトレイの最も上の用紙の上の面が１ページ目、最も下の用紙の下の面が２Ｎページ目となるように送信することもできる。この場合には図９（Ｂ）に示すように、２Ｎページ目、…、４ページ目、２ページ目の順で偶数ページを送信し、その後、（２Ｎ−１）ページ目、…、３ページ目、１ページ目の順で奇数ページを送信すればよい。
【００４７】
図１０は、連続モードで送信する際に中間トレイの用紙を下から取り出す方式でフェイスダウントレイに排紙される場合の送信ページ順の説明図である。相手先でフェイスダウントレイに排紙する場合、図４のＳ５６で説明したように、先に偶数ページを昇順ですべて送信した後、奇数ページを昇順で送信する。すなわち、図１０（Ａ）に示すように、２ページ目、４ページ目、…、２Ｎページ目の順で偶数ページを送信し、その後、１ページ目、３ページ目、…、（２Ｎ−１）ページ目の順で奇数ページを送信すればよい。相手先では、２ページ目、４ページ目、…、２Ｎページ目までを用紙の片面に連続して記録し、図１０（Ｃ）に示すように中間トレイに蓄積された用紙には、最も下の用紙に２ページ目、最も上の用紙に２Ｎページ目が記録されている。中間トレイの用紙を下から順に取り出すことによって、２ページ目が記録された用紙、４ページ目が記録された用紙、…、２Ｎページが記録された用紙の順に取り出され、他方の面に順次１ページ目、３ページ目、…、（２Ｎ−１）ページ目が記録されてゆく。フェイスダウントレイでは先に記録された面が上となる。従って、図１０（Ｃ）に示すように最も下の用紙の下の面が１ページ目、最も上の用紙の上の面が２Ｎページ目となるように、Ｎ枚の用紙がフェイスダウントレイに排出される。このように、相手先では受信した順に両面記録を行ってゆけば、図１０（Ｃ）に示すようにページ順が揃った用紙の束を取得することができる。
【００４８】
また、図１０（Ｄ）に示すように、フェイスダウントレイの最も上の用紙の上の面が１ページ目、最も下の用紙の下の面が２Ｎページ目となるように送信することもできる。この場合には図１０（Ｂ）に示すように、（２Ｎ−１）ページ目、…、３ページ目、１ページ目の順で奇数ページを送信し、その後、２Ｎページ目、…、４ページ目、２ページ目の順で偶数ページを送信すればよい。
【００４９】
上述の図７〜図１０に示した例では、中間トレイに蓄積可能な用紙の枚数を限定しなかったが、相手先から両面記録時に連続して記録可能な用紙の枚数である連続枚数Ｍが指定されている場合、２Ｍページごとに上述のようなページ順での送信を繰り返すことになる。図１１は、連続枚数Ｍが２の場合の送信ページ順の説明図である。それぞれＡ〜Ｄに“−１”を付して示したページ順は１ページ目が下、２Ｎページ目が上となる場合を示し、Ａ〜Ｄに“−２”を付して示したページ順は１ページ目が上、２Ｎページ目が下となる場合を示している。なお、図１１ではページの並び順のみを示している。
【００５０】
連続枚数Ｍが２の場合には、４ページを１組として送信ページ順を決定してゆくことになる。例えば８ページの画像を送信する場合には、最初の４ページについて上述のような順番で送信し、その後、残りの４ページについてもその中で同様の順番に並べ替えて送信することになる。もちろん、最後の組において送信するページ数は４ページより少なくてよい。また、４ページ以下の画像を送信する場合には、上述のページ順をそのまま適用して送信すればよい。なお、以下の例では説明を簡単にするため、ページ数２Ｎは４よりも大きいものとし、２Ｎは４の倍数であるものとする。
【００５１】
図１１（Ａ−１），（Ａ−２）は、中間トレイの用紙を上から取り出す方式でフェイスアップトレイに排紙される場合の送信ページ順を示している。この場合、１組目は３−１−２−４ページの順あるいは（２Ｎ−２）−２Ｎ−（２Ｎ−１）−（２Ｎ−３）ページの順で送信すればよい。次の２組目は７−５−６−８ページの順あるいは（２Ｎ−６）−（２Ｎ−４）−（２Ｎ−５）−（２Ｎ−７）ページの順で送信すればよい。以下、同様である。
【００５２】
図１１（Ｂ−１），（Ｂ−２）は、中間トレイの用紙を上から取り出す方式でフェイスダウントレイに排紙される場合の送信ページ順を示している。この場合、１組目は４−２−１−３ページの順あるいは（２Ｎ−３）−（２Ｎ−１）−２Ｎ−（２Ｎ−２）ページの順で送信すればよい。次の２組目は８−６−５−７ページの順あるいは（２Ｎ−７）−（２Ｎ−５）−（２Ｎ−４）−（２Ｎ−６）ページの順で送信すればよい。以下、同様である。
【００５３】
図１１（Ｃ−１），（Ｃ−２）は、中間トレイの用紙を下から取り出す方式でフェイスアップトレイに排紙される場合の送信ページ順を示している。この場合、１組目は１−３−２−４ページの順あるいは２Ｎ−（２Ｎ−２）−（２Ｎ−１）−（２Ｎ−３）ページの順で送信すればよい。次の２組目は５−７−６−８ページの順あるいは（２Ｎ−４）−（２Ｎ−６）−（２Ｎ−５）−（２Ｎ−７）ページの順で送信すればよい。以下、同様である。
【００５４】
図１１（Ｄ−１），（Ｄ−２）は、中間トレイの用紙を下から取り出す方式でフェイスダウントレイに排紙される場合の送信ページ順を示している。この場合、１組目は２−４−１−３ページの順あるいは（２Ｎ−１）−（２Ｎ−３）−２Ｎ−（２Ｎ−２）ページの順で送信すればよい。次の２組目は６−８−５−７ページの順あるいは（２Ｎ−５）−（２Ｎ−７）−（２Ｎ−４）−（２Ｎ−６）ページの順で送信すればよい。以下、同様である。
【００５５】
このようなＭ＝２の場合のページ順は、相手先が例えば図２（Ｅ），（Ｆ）に示したような構成の記録装置を有している場合に最適である。もちろん、実際に中間トレイが存在してその中間トレイの容量が用紙２枚の場合に適用されることは言うまでもない。
【００５６】
なお、ここではＭ＝２の場合を示したが、Ｍが３以上の場合であっても同様である。また、Ｍ＝１の場合が交互モードとなる。この場合、中間トレイの上から取り出すあるいは下から取り出すといった区別はなくなるので、フェイスアップトレイあるいはフェイスダウントレイのいずれに排紙するかで送信するページ順を決定することができる。
【００５７】
【発明の効果】
以上の説明から明らかなように、本発明によれば、受信側の相手先における記録機構、例えば用紙の排紙方式、中間トレイからの用紙の取り出し方式、連続して記録可能な連続枚数などに応じて送信するページ順を決定し、両面送信するので、相手先では受信した順に記録すればページ順の揃った用紙の束を取得することが可能になる。このとき、相手先では受信した画像を画像メモリに格納しなくてもよく、画像メモリの容量が少ない場合でも何ら支障なく両面受信を行うことができるようになる。また、相手先の記録機構に関する用紙の排紙方式、中間トレイからの用紙の取り出し方式、連続して記録可能な連続枚数などの情報を通信手順中で受け取るようにすることで、相手先の記録機構を知らない場合でも、相手先の記録機構に応じたページ順での送信が可能になるという効果がある。
【図面の簡単な説明】
【図１】本発明の通信端末装置の実施の一形態を示すブロック図である。
【図２】両面記録装置の一例の説明図である。
【図３】本発明の通信端末装置の実施の一形態における両面送信時の動作の一例を示すフローチャートである。
【図４】本発明の通信端末装置の実施の一形態における両面送信時の動作の一例を示すフローチャート（続き）である。
【図５】交互モードで送信する際にフェイスアップトレイに排紙される場合の送信ページ順の説明図である。
【図６】交互モードで送信する際にフェイスダウントレイに排紙される場合の送信ページ順の説明図である。
【図７】連続モードで送信する際に中間トレイの用紙を上から取り出す方式でフェイスアップトレイに排紙される場合の送信ページ順の説明図である。
【図８】連続モードで送信する際に中間トレイの用紙を上から取り出す方式でフェイスダウントレイに排紙される場合の送信ページ順の説明図である。
【図９】連続モードで送信する際に中間トレイの用紙を下から取り出す方式でフェイスアップトレイに排紙される場合の送信ページ順の説明図である。
【図１０】連続モードで送信する際に中間トレイの用紙を下から取り出す方式でフェイスダウントレイに排紙される場合の送信ページ順の説明図である。
【図１１】連続枚数Ｍが２の場合の送信ページ順の説明図である。
【符号の説明】
１１…主制御部、１２…表示部、１３…操作部、１４…読取部、１５…記録部、１６…通信部、１７…ＮＣＵ、１８…モデム、１９…画像メモリ、２０…ＲＡＭ、２１…ＲＯＭ、２２…バス、３１…用紙トレイ、３２…中間トレイ、３３…画像形成部、３４…フェイスアップトレイ、３５…フェイスダウントレイ、３６…反転搬送路。
【図１】
0004224664.tif 000002
【図２】
0004224664.tif 000003
【図３】
0004224664.tif 000004
【図４】
0004224664.tif 000005
【図５】
0004224664.tif 000006
【図６】
0004224664.tif 000007
【図７】
0004224664.tif 000008
【図８】
0004224664.tif 000009
【図９】
0004224664.tif 000010
【図１０】
0004224664.tif 000011
【図１１】
0004224664.tif 000012